(57)【要約】      （修正有）【課題】高雪密度の雪貯蔵効率を維持させるため、複雑な構造にならずに断熱効果を向上させることができる移動式雪保管用雪氷庫を提供する。【解決手段】ドーム体１の外側部には、車輪１２とレール体２との設置部における隙間Ｇを覆って、ドーム体１内部に雨水の浸入を防止するカーテン体１３を設け、さらにドーム体１の内側部には、車輪１２とレール体２との設置部における隙間Ｇを遮蔽する遮蔽板材として発泡ウレタン板材からなるスタイロフォーム１４を設ける。【選択図】図４
0003154012.tif 000002
【実用新案登録請求の範囲】
【請求項１】
雪を高密度状態のブロックにして積載してある雪保管場所に対して、他所から移動して雪のブロックの全周囲を覆い貯蔵保管状態にする移動式雪保管用雪氷庫であって、
雪氷庫本体を、下部および移動方向の前後部が開放され、かつ上部および側部を断熱構造にしたドーム体とし、前記雪保管場所に移動した後に前記ドーム体の移動方向の前後部を断熱構造にした遮蔽壁体によって覆う構成にし、
前記ドーム体における下両側部に、該雪氷庫本体の移動領域に敷設されたレール体に載置されて移動案内される複数の車輪を設け、前記ドーム体の外側部に、前記車輪と前記レール体との設置部における隙間を覆い、ドーム体内部に雨水の浸入を防止するカーテン体を垂下し、前記ドーム体の内側部に、前記車輪と前記レール体との設置部における隙間を遮蔽する遮蔽板材を設けたことを特徴とする移動式雪保管用雪氷庫。
【請求項２】
前記ドーム体における内側壁に断熱部材としてウレタン樹脂の吹き付け加工を施し、前記内側壁の下端部に、前記ウレタン樹脂の末端部を受け、かつ前記遮蔽板材に先端部が入り込むように板状袴部材を付設したことを特徴とする請求項１記載の移動式雪保管用雪氷庫。
【請求項３】
前記雪保管場所から他所に前記ドーム体を移動可能にするため前記レール体を延在し、前記ドーム体を前記雪貯蔵保管する以前には前記他所にて雪貯蔵保管以外に使用可能にしたことを特徴とする請求項１記載の移動式雪保管用雪氷庫。
【考案の詳細な説明】
【技術分野】  本考案は、冬期に降雪した雪を夏季まで貯蔵して、冷房に利用する雪冷房技術に関するものである。
【背景技術】  近年、環境問題の一環として、自然エネルギを有効に家庭，職場などの民生レベルの環境に導入して利用しようとする流れがある。
この自然エネルギの民生への導入のひとつとして、冬期に降雪した雪を夏季まで貯蔵して、冷房に利用する雪冷房技術がある。この雪冷房の基本技術は、降雪した雪を専用の建築物，地下室など（雪氷庫）の中に集めて貯蔵しておき、夏季に雪室からの冷気あるいは冷水を冷房対象箇所へ流出させるための構造体などを設置するものである（特許文献１，特許文献２，特許文献３参照）。【０００３】  現状の雪冷房の一例としては、搬送してきた雪を、断熱構造をなす雪氷庫内へロータリーブロアーにて送り込み、雪氷庫内に貯蔵保管するようにしている。この方法によると、雪氷庫内で貯蔵保管される雪密度は０．５０〜０．５５程度である。この雪密度をさらに高くすることが効率的な雪冷房を可能にすることになる。【０００４】  しかし、実際には簡単に雪密度を高くすることはできない。例えば、従来のロータリーブロアーにて雪を送り込む方法では、雪密度を高くすれば、それに応じて雪氷庫の側面に雪圧が加わることになり、雪氷庫の側面は、通常、断熱材にて構成されているため、その断熱材に圧縮加重が加わり、このため断熱材を変形させて肉厚を薄くしてしまい、結果として断熱係数を低下させる原因となり、これにより所期の断熱効果を望むことができなくなるという問題が生じる。【０００５】  そこで、本件出願人は、室外において雪をブロック状に固めて高雪密度にし、高雪密度状態にした雪のブロック体の存在位置まで雪氷庫を移動して、その周囲を覆うことによって雪の貯蔵保管を行う方法を特開２００２−１７７７６５号として出願した。
【特許文献１】特開平７−３０５８７３号公報
【特許文献２】特開２００１−５９６６６号公報
【特許文献３】特開２００３−５６８６６号公報
【考案の開示】
【考案が解決しようとする課題】  前記本件出願人の発明では、室外において任意の方法により、雪を押し固めるようにすることが可能にしたことにより、容易に高密度の雪ブロックにすることができるため、雪の高密度化においては非常に効果的かつ効率的であるといえる。そして、高密度の雪ブロックの保管場所に対して、断熱構造の雪氷庫を他所から移動して雪ブロックの全周囲を覆うことによって貯蔵保管状態にすることができる。【０００７】  前記移動式雪氷庫を実際に製作するに際し、前記雪氷庫を断熱構造にすること、および雪氷庫を移動させるための構造自体は比較的容易な構造によってなし得たが、雪氷庫を移動可能な構造にしたため、雪氷庫における移動部分に生じる隙間が断熱効果を低下させる原因となった。
すなわち、前記移動部分に生じる隙間から外気（暖気）、あるいは雨水などが雪氷庫内部に浸入し、冷空間の気密性、および熱遮断性において新たな課題が生じた。【０００８】  そこで本考案は、前記課題を解決し、移動構造であっても、高雪密度にした雪貯蔵効率を維持させるため、複雑な構造にならずに断熱効果を向上させることができる移動式雪保管用雪氷庫を提供することを目的とする。
【課題を解決するための手段】  前記課題を解決するため、本考案は、雪を高密度状態のブロックにして積載してある雪保管場所に対して、他所から移動して雪のブロックの全周囲を覆い貯蔵保管状態にする移動式雪保管用雪氷庫であって、雪氷庫本体を、下部および移動方向の前後部が開放され、かつ上部および側部を断熱構造にしたドーム体とし、前記雪保管場所に移動した後にドーム体の移動方向の前後部を断熱構造にした遮蔽壁体によって覆う構成にし、前記ドーム体における下両側部に、該雪氷庫本体の移動領域に敷設されたレール体に載置されて移動案内される複数の車輪を設け、前記ドーム体の外側部に、前記車輪と前記レール体との設置部における隙間を覆い、ドーム体内部に雨水の浸入を防止するカーテン体を垂下し、前記ドーム体の内側部に、前記車輪と前記レール体との設置部における隙間を遮蔽する遮蔽板材を設けたものであって、この構成により、雪氷庫の移動構造である車輪とレール体との設置部における隙間を、外部からカーテン体で覆って雨水の浸入を遮断し、かつ内部において外気の浸入を遮断することができるため、移動式にした雪氷庫であっても、簡素化された構造で断熱上の問題を解消して、高雪密度の雪貯蔵状態を良好に維持することが可能になる。【００１０】  また、前記ドーム体における内側壁に断熱部材としてウレタン樹脂の吹き付け加工を施し、前記内側壁の下端部に、前記ウレタン樹脂の末端部を受け、かつ前記遮蔽板材に先端部が入り込むように板状袴部材を付設したことによって、雪氷庫を構成するドーム体の断熱部材としてのウレタン樹脂の吹き付けが、板状袴部材の存在によってドーム体内側壁の下端部にまで十分に行われるようになり、しかも板状袴部材を遮蔽板材に入り込むようにしたことにより、外気の遮断性は低下しない。【００１１】  また、前記雪保管場所から他所に前記ドーム体を移動可能にするため前記レール体を延在し、前記ドーム体を前記雪貯蔵保管する以前に前記他所にて雪貯蔵保管以外に使用可能にしたことによって、雪氷庫の移動可能範囲における任意の場所にて、雪を貯蔵保管する前までは雪の貯蔵保管以外に用いることが可能になる。例えば屋根付きドーム型の運動施設あるいは倉庫として利用することなどが考えられる。
【考案の効果】  本考案の移動式雪保管用雪氷庫によれば、雪氷庫の移動構造である車輪とレール体との設置部における隙間を、外部からカーテン体で覆って雨水の浸入を遮断し、かつ内部において外気の浸入を遮断することにより、移動式の雪氷庫であっても、簡素化された構造で冷気漏れあるいは断熱上の問題を解消することができるため、高雪密度の雪貯蔵状態を良好に維持することが可能になる。
【考案を実施するための最良の形態】  以下に、本考案の好適な実施の形態を図面に基づいて説明する。
図１（ａ），（ｂ）は本考案の実施形態を説明するための雪冷房に関する雪保管方法の説明図、図２は本実施形態における雪保管の概略工程を説明するためのフローチャートである。【００１３】  図２に示すように、雪を適所から雪保管場所に運搬し（ステップ１）、雪保管場所に堆積させる（ステップ２）。雪保管場所では適当な方法にて雪を圧縮して、ブロック状に造形する（ステップ３）。雪のブロックが所定容積になって仕上がると（ステップ４）、移動式雪氷庫を雪保管場所まで移動させる（ステップ５）。その後、移動式雪氷庫における開口部分を覆うことにより高密度雪氷庫が完成する（ステップ６）。【００１４】  図１（ａ），（ｂ）において、雪氷庫本体は、下部１ａおよび移動方向の前後部１ｂ，１ｃが開放され、天井部（上部および側部）１ｄを断熱構造としたドーム体１の構造であり、ドーム体１の下両側部には、敷地内に敷設されたレール体２に載置されて移動案内される複数の車輪（後述する）が設けられている。【００１５】  図１（ｂ）は冬期における移動式雪氷庫の状態の説明図であり、ドーム体１の外部の雪保管場所３において、前記ステップ１〜３までの作業によって、雪の高密度化，ブロック造形を行う。ここではドーム体１が、冬期において運動施設を覆う屋根付きドームとして利用されている例を示している。これ以外にも倉庫などとして利用することも考えられる。【００１６】  図１（ａ）は前記ステップ４〜６の作業が行われた後の夏期における移動式雪氷庫の状態の説明図であり、ドーム体１は、雪保管場所３に移動した後において、ドール体１の移動方向の前後部１ｂ，１ｃを断熱構造にした遮蔽壁体４によって覆い、高密度雪氷庫が完成した状態である。この状態において、ドーム体１における雪融解水を使用し、熱交換器５を介して建物６に対して送ることによって冷房を行うことができる状態になる。【００１７】  図３は本実施形態における雪冷房システムの構成の説明図であり、ドーム体１内の雪Ｓに対して散水して雪融解水を得て、冷水槽７に集め、ポンプ８により熱交換器５に給水し、熱交換器５から建物６の適所に冷水を搬送するようになっている。なお、図３において、９は排水ポンプ、１０は配水管、１１はドーム体１内における散水部である。【００１８】  図４は本実施形態におけるドーム体における要部（図１（ａ）のＤ部）の一部断面図であり、ドーム体１の天井部１ｄ全体は、本例では１０ｃｍ程度のウレタン樹脂Ｕの吹き付けが内周全体に施されている。ドーム体１の下両側部には、図１に示すように敷地内に敷設されたレール体２に載置されて移動案内される車輪１２が複数個設けられている。【００１９】  また、ドーム体１の外側部には、車輪１２とレール体２との設置部における隙間Ｇを覆い、ドーム体１内部に雨水の浸入を防止するカーテン体１３を垂下し、またドーム体１の内側部には、車輪１２とレール体２との設置部における隙間Ｇを遮蔽する遮蔽板材として、本例では１０ｃｍ程度の発泡ウレタン板材からなるスタイロフォーム１４を設けている。【００２０】  さらに、ドーム体１における内側壁の下端部に、前記吹き付け処理されるウレタン樹脂Ｕの末端部が確実に止まるように、ウレタン樹脂Ｕを受けるトタン板��どからなる板状袴部材１５が付設され、板状袴部材１５の先端部１５ａがスタイロフォーム１４の受け空間１４ａに入り込むようにしてある。このため、ドーム体１の断熱部材としてのウレタン樹脂Ｕの吹き付けが、板状袴部材１５の存在によってドーム体１内側壁の下端部にまで十分に行われるようになる。しかも、板状袴部材１５をスタイロフォーム１４に入り込むようにしたことにより、外気の遮断性を低下させることはない。【００２１】  図４に示す構成によって、車輪１２とレール体２との設置部における隙間Ｇ部分において、外部からカーテン体１３で覆って雨水の浸入を遮断することができ、さらに内部においてスタイロフォーム１４にて外気の浸入を遮断することができるため、移動式にした雪氷庫であっても、高雪密度の雪貯蔵状態を良好に維持することが可能になる。
【産業上の利用可能性】  本考案は、効率的に雪を貯蔵保管するため、雪を高密度状態のブロックにして積載されている雪保管場所に対して、他所から移動して雪のブロックの全周囲を覆い貯蔵保管状態にする移動式雪保管用雪氷庫に適用して有効である。
【図面の簡単な説明】
【図１】本考案の実施形態を説明するための移動式雪保管用雪氷庫における雪保管方法の説明図である。
【図２】本実施形態における雪保管作業の概略工程を説明するためのフローチャートである。
【図３】本実施形態における雪冷房システムの構成の説明図である。
【図４】本実施形態におけるドーム体の要部を示す一部断面図である。
【符号の説明】
１  ドーム体
２  レール体
３  雪保管場所
４  遮蔽壁体
５  熱交換器
１２  車輪
１３  カーテン体
１４  スタイロフォーム
１４ａ  受け空間
１５  板状袴部材
１５ａ  板状袴部材の先端部
Ｇ  隙間
Ｕ  ウレタン樹脂
【図１】
0003154012.tif 000003
【図２】
0003154012.tif 000004
【図３】
0003154012.tif 000005
【図４】
0003154012.tif 000006